(57)【要約】【課題】高さを比較的小さくすることができ、且つ受入室の第１流出口からの流出水を十分な流量にて封水室に流入させることが可能な排水トラップを提供する。【解決手段】封水室２３の底面に、浴槽排水流路３０を形成するためのトンネル状の流路形成部材５０が設置されている。流路形成部材５０の途中部は、周壁部２１の内径よりも幅が小さい狭幅部５０ｃとなっている。蓋部材２３の底面のうち狭幅部５０ｃの両側部分は、それぞれ、該狭幅部５０ｃの天井部５２よりも低くなった低所２６となっている。各低所２６は、排水トラップ１０を平面視した状態において、狭幅部５０ｃに隣接した領域が周壁部２１の内周面よりも内側に存在し、該狭幅部５０ｃから離隔した領域が周壁部２１の外周面よりも外側に存在したものとなっている。【選択図】図１０
2011069113.tif 000002
【特許請求の範囲】
【請求項１】
筒軸心線方向を略上下方向とした略円筒状の周壁部によって囲まれており、上部に洗い場排水の受入口を有し、下部に第１流出口を有した受入室と、
内部に該周壁部を受け入れており、該第１流出口からの流出水が流入する封水室と、
該封水室に連なる、該封水室からの溢出水を流出させるための第２流出口と、
該第２流出口が連なる合流流出口と、
該受入室の下側を通って延在し、一端側に浴槽排水の流入口を有し、他端側に該合流流出口に連なる第３流出口を有している浴槽排水流路と
を備えており、
該第１流出口からの流出水は、該周壁部の下端と封水室の底面との間の隙間を通って該封水室に流入する浴槽及び洗い場用の排水トラップにおいて、
該封水室の底面に、該浴槽排水流路の天井部よりも低くなった低所が設けられており、
該排水トラップを平面視した状態において、該低所は、一部が該周壁部の内周面よりも内側に存在し、他部が該周壁部の外周面よりも外側に存在していることを特徴とする排水トラップ。
【請求項２】
請求項１において、前記浴槽排水流路は、少なくとも一部が、前記周壁部の内周面の直径よりも幅が狭くなった狭幅部となっており、
前記封水室の底面うち該狭幅部の両側部分が前記低所となっており、
該排水トラップを平面視した状態において、該低所は、それぞれ、該狭幅部に隣接した領域が前記周壁部の内周面よりも内側に存在し、該狭幅部から離隔した領域が該周壁部の外周面よりも外側に存在していることを特徴とする排水トラップ。
【請求項３】
請求項１又は２において、前記受入室の下方の前記浴槽排水流路の天井部に、該浴槽排水流路内に連通する開口が設けられていることを特徴とする排水トラップ。
【請求項４】
請求項３において、前記開口は、着脱可能な蓋によって閉鎖されていることを特徴とする排水トラップ。
【請求項５】
請求項３において、前記浴槽排水流路内の水の一部を前記受入室内に導入するための導水部材が前記開口の周縁部に連なっており、
該導水部材は、下部が該開口を介して該浴槽排水流路内に開放しており、上部に、該受入室内に開放した吐水口を有していることを特徴とする排水トラップ。
【請求項６】
請求項５において、前記導水部材は、前記開口の周縁部に着脱可能に連結されていることを特徴とする排水トラップ。
【請求項７】
請求項５又は６において、前記導水部材は、前記吐水口から水を前記受入室の略接線方向に流出させて該受入室内で旋回流を形成するための旋回流形成手段を備えていることを特徴とする排水トラップ。
【請求項８】
請求項５ないし７のいずれか１項において、前記受入室の下方の前記浴槽排水流路の天井部に複数個の前記開口が設けられており、各開口にそれぞれ前記導水部材が配設されていることを特徴とする排水トラップ。
【請求項９】
請求項５ないし８のいずれか１項において、前記導水部材は、複数個の前記吐水口を有しており、共通の前記開口から該導水部材内に導入された水が各吐水口から前記受入室内に流出することを特徴とする排水トラップ。
【請求項１０】
請求項５ないし９のいずれか１項において、前記導水部材は、前記浴槽排水流路の上方に配設されていることを特徴とする排水トラップ。
【発明の詳細な説明】
【技術分野】
【０００１】
本発明は、浴槽及び洗い場用の排水トラップに係り、特に洗い場排水を受け入れる受入室と、浴槽排水が流入する浴槽排水流路とを有し、該受入室及び浴槽排水流路から水が共通の流出口を通って排水される排水トラップに関する。特に、本発明は、浴槽排水の一部を受入室内に導入する導水部材を備え、この導水部材から水を受入室の略接線方向に流出させて該受入室内で旋回流を形成するように構成された排水トラップに好適な排水トラップに関する。
【背景技術】
【０００２】
ｉ）  洗い場排水を受け入れる受入室と、浴槽排水が流入する浴槽排水流路とを有し、該受入室及び浴槽排水流路から水が共通の流出口を通って排水される排水トラップが特開２００７−１９７９４３号公報に記載されている。
【０００３】
以下に、第１６，１７図を参照して同号公報の排水トラップについて説明する。第１６図は同号公報の排水トラップの縦断面図、第１７図はこの排水トラップの斜視図である。
【０００４】
第１６図の通り、浴室の床は浴槽パン１０１と洗い場パン１０２とによって構成され、該浴槽パン１０１上に浴槽１０３が設置されている。符号１０４は、該浴槽パン１０１と洗い場パン１０２とを区画する堤防部を示し、符号１０５は、該堤防部１０４に沿って浴槽１０３の側面を覆うように設置されたエプロン部を示している。
【０００５】
該浴槽パン１０１の底部及び浴槽１０３の底部には、それぞれ排水口１０１ａ，１０３ａが設けられている。第１６図の通り、該浴槽パン１０１の排水口１０１ａは浴槽１０３の排水口１０３ａよりも大径となっており、且つ浴槽１０３の排水口１０３ａは浴槽パン１０１の排水口１０１ａの内側に露呈するように配置されている。
【０００６】
洗い場パン１０２の浴槽１０３側には排水枡１０６が設けられている。第１６図の通り、排水枡１０６は洗い場パン１０２と一体に凹み状に形成されている。この排水枡１０６の上面には排水目皿１０７が装着されている。
【０００７】
これらの浴槽パン１０１及び浴槽１０３の各排水口１０１ａ，１０３ａ並びに洗い場パン１０２の排水枡１０６に対し、下側から排水トラップ１１０が連結されている。
【０００８】
第１７図に示すように、排水トラップ１１０の上面部には、洗い場パン１０２からの排水が排水枡１０６を通り流入する洗い場排水受入口１１０Ａと、浴槽１０３からの排水が排水口１０３ａを通り流入する浴槽排水流入口１１０Ｂと、浴槽パン１０１からの排水が排水口１０１ａを通り流入する浴槽パン排水流入口１１０Ｃとが設けられている。
【０００９】
また、この排水トラップ１１０の該浴槽排水流入口１１０Ｂ及び浴槽パン排水流入口１１０Ｃと反対側の側面部には、これらの洗い場排水受入口１１０Ａ、浴槽排水流入口１１０Ｂ及び浴槽パン排水流入口１１０Ｃから該排水トラップ１１０内に流入した水が流出する合流流出口１１０Ｄが設けられている。この合流流出口１１０Ｄに排水管１０８が接続されている。
【００１０】
この排水トラップ１１０の構成について次に詳細に説明する。
【００１１】
この排水トラップ１１０は、略円筒状の周壁部１２１で囲まれており、上部に前記洗い場排水受入口１１０Ａを有し、該周壁部１２１の下部に第１流出口１２２を有した洗い場排水の受入室１２０と、該第１流出口１２１が連なる前記合流流出口１１０Ｄと、受入室１２０の下側を通って延在し、一端側（上流側）に前記浴槽排水流入口１１０Ｂを有し、他端側（下流側）に該合流流出口１１０Ｄに連なる第２流出口１３１を有した浴槽排水流路１３０と、受入室１２０の底部中央から立設された、該受入室１２０の下側の浴槽排水流路１３０の水の一部を該受入室１２０内に導入するための導水筒１４０等を備えている。
【００１２】
第１６，１７図の通り、浴槽排水流路１３０を取り囲むケーシング１３２の該浴槽排水流路１３０上流側の上面から円筒状の浴槽連結部１３３が立設されている。この浴槽連結部１３３内は浴槽排水流路１３０に連通している。この浴槽連結部１３３の上部が浴槽排水流入口１１０Ｂとなっている。また、この浴槽連結部１３３を取り囲むように、該浴槽連結部１３３よりも大径の円筒状の浴槽パン連結部１３４が立設されており、この浴槽パン連結部１３４と浴槽連結部１３３との間が浴槽パン排水流入口１１０Ｃとなっている。
【００１３】
なお、ケーシング１３２内には、該浴槽排水流路１３０とは別に、浴槽パン排水流路（図示略）が設けられている。この浴槽パン排水流路は、一端側（上流側）が該浴槽パン排水流入口１１０Ｃに連なり、他端側（下流側）が前記合流流出口１１０Ｄに連なっている。
【００１４】
浴槽パン１０１の排水口１０１ａ及び浴槽１０３の排水口１０３ａには、それぞれ環状のフランジ部材１０９ａ，１０９ｂが取り付けられている。浴槽パン１０１の下側から浴槽パン排水口１０１ａの周縁部に浴槽パン連結部１３４が当接され、該浴槽パン連結部１３４にこのフランジ部材１０９ａが螺じ込まれることにより、該浴槽パン連結部１３４が浴槽パン排水口１０１ａの周縁部に連結されている。また、浴槽１０３の下側から浴槽排水口１０３ａの周縁部に浴槽連結部１３３が当接され、該浴槽連結部１３３にフランジ部材１０９ｂが螺じ込まれることにより、該浴槽連結部１３３が浴槽排水口１０３ａの周縁部に連結されている。
【００１５】
第１６図に示すように、ケーシング１３２の浴槽排水流路１３０下流側は、上方へ立ち上がる立上部１３５となっている。この立上部１３５の上部の側面に前記第２流出口１３１が設けられている。第１６図に示すように、この第２流出口１３１の下縁のレベルＷ２は、ケーシング１３２の上面よりも上位となっている。
【００１６】
ケーシング１３２の浴槽排水流路１３０下流側の上面には、受入室ハウジング１３６が設けられている。この受入室ハウジング１３６の上面開口１３６ａから該受入室ハウジング１３６内に前記周壁部１２１がその筒軸心方向を上下方向として挿入されている。この周壁部１２１の上端部は該開口１３６ａの周縁部に係止されている。この周壁部１２１の下端は、受入室ハウジング１３６の底面から所定距離離隔している。
【００１７】
この周壁部１２１は、上下両端が開放しており、その上端側の開放口が洗い場排水受入口１１０Ａとなっており、下端側の開放口が第１流出口１２２となっている。
【００１８】
この周壁部１２１の内側が洗い場排水の受入室１２０であり、この周壁部１２１と受入室ハウジング１３６との間の室は、封水が溜められる封水室１２３となっている。この受入室１２０は、第１流出口１２２と、周壁部１２１の下端と受入室ハウジング１３６の底面との間の隙間とを通って封水室１２３に連通している。
【００１９】
洗い場パン１０２の排水枡１０６の底部には環状のフランジ部材１０９ｃが取り付けられており、このフランジ部材１０９ｃが開口１３６ａの周囲の周壁部１３６ｂに螺じ込まれることにより、受入室ハウジング１３６の上部が排水枡１０６に連結されている。
【００２０】
受入室ハウジング１３６のうち立上部１３５の上側の部分は、該立上部１３５の上面に沿って上方へ立ち上がる立上部１３７となっている。この立上部１３７の上部の側面に、洗い場排水流出口１２４が設けられている。第１６図に示すように、この洗い場排水流出口１２４の下縁のレベルＷ１は、周壁部１２１の下端よりも上位となっている。
【００２１】
ケーシング１３２の浴槽排水流路１３０下流側の側面からは、円筒状の前記合流流出口１１０Ｄが突設されている。前記洗い場排水流出口１２４及び第２流出口１３１は、それぞれこの合流流出口１１０Ｄ内に連通している。
【００２２】
導水筒１４０は、受入室ハウジング１３６の底面から周壁部１２１と同軸的に立設され、その上部は受入室１２０内に配置されている。この導水筒１４０の下端側は、受入室ハウジング１３６の底面を貫通して浴槽排水流路１３０内に露呈している。この導水筒１４０は、上下両端が開放しており、その下端側の開放口が、浴槽排水流路１３０の水をこの導水筒１４０内に導入する導入口１４１となっている。
【００２３】
この導水筒１４０の下端から下方へ向って突片１４２が突設されている。この突片１４２は、導入口１４１の浴槽排水流路１３０下流側の縁部に沿って形成されている。この突片１４２の下端は、浴槽排水流路１３０の底面に当接している。
【００２４】
導水筒１４０の上部には、該導水筒１４０の上部から水を周壁部１２１内に放射状に流出させるためのガイド部材１４３が設けられている。このガイド部材１４３は、上方から導水筒１４０に被さる蓋部と、この蓋部の下面の中央から放射状に延在した複数のガイド片とを有している。該蓋部は導水筒１４０の上端面から所定距離上方へ離隔しており、この蓋部と導水筒１４０の上端面との間の隙間が、導水筒１４０からの水の流出口１４４となっている。この流出口１４４は、周壁部１２１の下端よりも上位に位置している。
【００２５】
次に、この排水トラップ１１０の作動について説明する。
【００２６】
洗い場パン１０２からの排水は、排水枡１０６及び洗い場排水流入口１１０Ａを通って受入室１２０に流入し、この受入室１２０から第１流出口１２２を通って封水室１２３に流入する。この際、該第１流出口１２２からの流出水は、周壁部１２１の下端とその下方の浴槽排水流路１３０の天井部との間の隙間を通って封水室１２３に流入する。その後、この水は、該封水室１２３、洗い場排水流出口１２４及び合流流出口１１０Ｄを通って排水管１０８に流出する。この洗い場排水の流出が停止すると、封水室１２３内には、洗い場排水流出口１２４の下縁のレベルＷ１まで封水が残る。この封水に周壁部１２１の下端が没するので、排水管１０８の臭気が洗い場排水受入口１１０Ａから浴室内に逆流することが防止される。
【００２７】
浴槽１０３からの排水は、排水口１０３ａ及び浴室排水流入口１１０Ｂを通って浴槽排水流路１３０に流入し、この浴槽排水流路１３０、第２流出口１３１及び合流流出口１１０Ｄを通って排水管１０８に流出する。また、浴槽パン１０１からの排水は、排水口１０１ａ及び浴槽パン排水流入口１１０Ｃを通って浴槽パン排水流路に流入し、この浴槽パン排水流路及び合流流出口１１０Ｄを通って排水管１０８に流出する。この際、該浴槽排水流路１３０を流れる水の一部は、該浴槽排水流路１３０の途中で突片１４２により堰き止められて導入口１４１から導水筒１４０内に流入し、該導水筒１４０内を通って該導水筒１４０の上部の流出口１４４から受入室１２０内に流出する。この際、流出口１４４から水が各ガイド片に沿って放射状に流出する。
【００２８】
浴槽排水の流出が停止すると、浴槽排水流路１３０内及び浴槽パン排水流路内には第２流出口１３１の下縁のレベルＷ２まで封水が残り、この封水によって浴槽排水流路１３０及び浴槽パン排水流路が封鎖されるため、排水管１０８の臭気が浴槽排水流入口１１０Ｂ及び浴槽パン排水流入口１１０Ｃから浴室内に逆流することが防止される。
【００２９】
この排水トラップ１１０にあっては、封水室１２３の洗い場排水流出口１２４と浴槽排水流路１３０の第２流出口１３１とが共通の合流流出口１１０Ｄに連なっているので、浴槽排水が浴槽排水流路１３０、第２流出口１３１及び合流流出口１１０Ｄを通って排水管１０８に流出する場合、この水流により洗い場排水流出口１２４に負圧が生じて封水室１２３内の封水が合流流出口１１０Ｄに吸い出されることがあるが、浴槽排水流路１３０を流れる浴槽排水の一部が導水筒１４０を通って受入室１２０に流入することにより、封水室１２３内に封水が補給されるため、該封水室１２３内で封水切れすることが防止される。
【００３０】
ii）  洗い場排水を受け入れる洗い場排水受入口が上部に設けられていると共に、浴槽排水を側周面から受入室内に受け入れて該受入室内に旋回流を形成するようにした排水トラップが特許第３８８６０５５号公報に記載されている。このトラップの洗い場排水受入口には、上方が開放したカゴ（篭）状のヘアキャッチャーが着脱自在に装着されている。このヘアキャッチャーは、トラップ内の軸心部付近に垂下している。
【００３１】
浴槽排水がトラップ内に流入し、トラップ内の水位が上昇して旋回流が形成されると、このヘアキャッチャーが旋回流に浸漬され、ヘアキャッチャー内の毛髪などのゴミがヘアキャッチャーの中心に集められる。これにより、ゴミを摘んで捨てることができるようになる。また、ヘアキャッチャーの内外面が旋回流に浸漬されて浄化され、ヌメリ等が除去される。
【先行技術文献】
【特許文献】
【００３２】
【特許文献１】特開２００７−１９７９４３号公報
【特許文献２】特許第３８８６０５５号公報
【発明の概要】
【発明が解決しようとする課題】
【００３３】
近年、マンション等においては、室内の天井高さを高くするために、床下スペースを小さくして床面レベルを低くすることが行われている。そのため、この床下スペースに設置される排水トラップとしては、比較的高さが小さいものが望まれる。
【００３４】
しかしながら、上記特開２００７−１９７９４３号公報の排水トラップ１１０にあっては、封水室１２３の下側に浴槽排水流路１３０が配設されている。また、受入室１２０の第１流出口１２２からの流出水を速やかに封水室１２３に流入させるために、周壁部１２１の下端と封水室１２３との間に十分な隙間を確保する必要がある。そのため、この排水トラップ１１０は、全体の高さが比較的大きなものとなっている。
【００３５】
本発明は、高さを比較的小さくすることができ、且つ受入室の第１流出口からの流出水を十分な流量にて封水室に流入させることが可能な排水トラップを提供することを目的とする。
【課題を解決するための手段】
【００３６】
本発明（請求項１）の排水トラップは、筒軸心線方向を略上下方向とした略円筒状の周壁部によって囲まれており、上部に洗い場排水の受入口を有し、下部に第１流出口を有した受入室と、内部に該周壁部を受け入れており、該第１流出口からの流出水が流入する封水室と、該封水室に連なる、該封水室からの溢出水を流出させるための第２流出口と、該第２流出口が連なる合流流出口と、該受入室の下側を通って延在し、一端側に浴槽排水の流入口を有し、他端側に該合流流出口に連なる第３流出口を有している浴槽排水流路とを備えており、該第１流出口からの流出水は、該周壁部の下端と封水室の底面との間の隙間を通って該封水室に流入する浴槽及び洗い場用の排水トラップにおいて、該封水室の底面に、該浴槽排水流路の天井部よりも低くなった低所が設けられており、該排水トラップを平面視した状態において、該低所は、一部が該周壁部の内周面よりも内側に存在し、他部が該周壁部の外周面よりも外側に存在していることを特徴とするものである。
【００３７】
請求項２の排水トラップは、請求項１において、前記浴槽排水流路は、少なくとも一部が、前記周壁部の内周面の直径よりも幅が狭くなった狭幅部となっており、前記封水室の底面うち該狭幅部の両側部分が前記低所となっており、該排水トラップを平面視した状態において、該低所は、それぞれ、該狭幅部に隣接した領域が前記周壁部の内周面よりも内側に存在し、該狭幅部から離隔した領域が該周壁部の外周面よりも外側に存在していることを特徴とするものである。
【００３８】
請求項３の排水トラップは、請求項１又は２において、前記受入室の下方の前記浴槽排水流路の天井部に、該浴槽排水流路内に連通する開口が設けられていることを特徴とするものである。
【００３９】
請求項４の排水トラップは、請求項３において、前記開口は、着脱可能な蓋によって閉鎖されていることを特徴とするものである。
【００４０】
請求項５の排水トラップは、請求項３において、前記浴槽排水流路内の水の一部を前記受入室内に導入するための導水部材が前記開口の周縁部に連なっており、該導水部材は、下部が該開口を介して該浴槽排水流路内に開放しており、上部に、該受入室内に開放した吐水口を有していることを特徴とするものである。
【００４１】
請求項６の排水トラップは、請求項５において、前記導水部材は、前記開口の周縁部に着脱可能に連結されていることを特徴とするものである。
【００４２】
請求項７の排水トラップは、請求項５又は６において、前記導水部材は、前記吐水口から水を前記受入室の略接線方向に流出させて該受入室内で旋回流を形成するための旋回流形成手段を備えていることを特徴とするものである。
【００４３】
請求項８の排水トラップは、請求項５ないし７のいずれか１項において、前記受入室の下方の前記浴槽排水流路の天井部に複数個の前記開口が設けられており、各開口にそれぞれ前記導水部材が配設されていることを特徴とするものである。
【００４４】
請求項９の排水トラップは、請求項５ないし８のいずれか１項において、前記導水部材は、複数個の前記吐水口を有しており、共通の前記開口から該導水部材内に導入された水が各吐水口から前記受入室内に流出することを特徴とする排水トラップ。
【００４５】
請求項１０の排水トラップは、請求項５ないし９のいずれか１項において、前記導水部材は、前記浴槽排水流路の上方に配設されていることを特徴とするものである。
【発明の効果】
【００４６】
本発明（請求項１）の排水トラップにあっては、封水室の底面に、浴槽排水流路の天井部よりも低くなった低所が設けられており、該排水トラップを平面視した状態においては、この低所は、一部が受入室の周壁部の内周面よりも内側に存在し、他部が該周壁部の外周面よりも外側に存在している。従って、水が受入室から第１流出口を通って封水室に流入する際には、周壁部の下端とその下方の浴槽排水流路の天井部との間の隙間だけでなく、この低所を通って封水室に流入する。この低所の底面と周壁部の下端との間には、周壁部の下端と浴槽排水流路の天井部との間よりも大きな隙間が存在するため、この低所を介して第１流出口から水を大流量にて封水室に流入させることができる。
【００４７】
本発明の排水トラップによれば、このように第１流出口から水が低所を通って十分な流量にて封水室に流入することができるので、周壁部の下端と浴槽排水流路の天井部との間の隙間を小さくすることができる。これにより、比較的高さの小さい排水トラップを構成することが可能である。
【００４８】
請求項２の態様にあっては、浴槽排水流路の少なくとも一部が、周壁部の内周面の直径よりも幅が狭くなった狭幅部となっており、封水室の底面のうち該狭幅部の両側部分がそれぞれ低所となっている。これらの低所は、それぞれ、該狭幅部に隣接した領域が周壁部の内周面よりも内側に存在し、該狭幅部から離隔した領域が周壁部の外周面よりも外側に存在している。そのため、これらの低所を介して第１流出口から水を大流量にて封水室に流入させることができる。
【００４９】
請求項３の態様にあっては、受入室の下方の浴槽排水流路の天井部に、該浴槽排水流路内に連通する開口が設けられているので、洗い場排水の受入口を介して該開口から浴槽排水流路内に掃除用具や工具を差し入れて容易に該浴槽排水流路内の掃除やメンテナンス等を行うことができる。
【００５０】
請求項４の通り、この開口は、着脱可能な蓋によって閉鎖されていることが好ましい。これにより、清掃時やメンテナンス時以外には、この開口を蓋で閉鎖しておくことができる。
【００５１】
請求項５の態様にあっては、この開口の周縁部に、浴槽排水流路内の水の一部を受入室内に導入するための導水部材が連なっており、浴槽排水時には、浴槽排水流路内の水の一部が開口を介してこの導水部材内に導入され、この導水部材の上部の吐水口から受入室内に流出する。これにより、浴槽排水が合流流出口を通って流出するのに伴い、封水室内に負圧が生じて該封水室内の封水が合流流出口に吸い出された場合でも、導水部材から受入室内に浴槽排水流路の水の一部が流入することによって封水室内に封水が補給されるため、該封水室内で封水切れすることが防止される。
【００５２】
請求項６の通り、この導水部材を開口の周縁部に着脱可能に連結することにより、清掃時やメンテナンス時等には、この導水部材を開口から取り外すことにより、この導水部材、浴槽排水流路内及び受入室内の清掃やメンテナンス等を容易に行うことができる。
【００５３】
請求項７の態様にあっては、導水部材の吐水口から水が受入室の略接線方向に流出することにより、受入室内で旋回流を生じるため、この受入室内に設置されたヘアキャッチャーが旋回流に浸漬され、ヘアキャッチャー内の毛髪などのゴミがヘアキャッチャーの中心に集められる。これにより、ゴミを摘んで捨てることができるようになる。また、ヘアキャッチャーの内外面が旋回流に浸漬されて浄化され、ヌメリ等が除去される。
【００５４】
請求項８の態様にあっては、受入室の下方の浴槽排水流路の天井部に複数個の開口が設けられ、各開口にそれぞれ導水部材が設けられている。これにより、各導水部材の吐水口から多量の水が受入室内に導入されるようになる。そのため、浴槽排水時における封水室内の破封防止効果が高いものとなる。また、請求項７のように、各導水部材の吐水口から水が受入室の略接線方向に流出するように構成した場合には、各導水部材の吐水口からの水の水勢が重畳されて受入室内に強力な旋回流が形成されるようになる。また、各導水部材の吐水口を、より効果的に旋回流を形成することができる位置に配置することが可能である。
【００５５】
請求項９の態様にあっては、導水部材は、複数個の吐水口を有しており、共通の開口から該導水部材内に導入された水が各吐水口から受入室内に流出するように構成されている。そのため、吐水口の配置の自由度が高いものとなる。これにより、請求項７のように、各導水部材の吐水口から水が受入室の略接線方向に流出するように構成した場合には、各吐水口を、より効果的に旋回流を形成することができる位置に配置することができるため、受入室内に効果的に旋回流を形成することが可能となる。
【００５６】
請求項１０の通り、導水部材を浴槽排水流路の上方に配設することにより、この導水部材は、各低所の上方に全く又は殆ど存在しないものとすることができる。これにより、受入室内の水がスムーズに各低所に流れ落ち、各低所を通って速やかに封水室に流出するようになる。
【図面の簡単な説明】
【００５７】
【図１】第１の実施の形態に係る排水トラップを備えた浴室の模式的な斜視図である。
【図２】図１の排水トラップの斜視図である。
【図３】図２のIII−III線に沿う断面斜視図である。
【図４】図２と同様部分の断面斜視図である。
【図５】図１の排水トラップの上方から受入室内を見た斜視図である。
【図６】図５のVI−VI線に沿う断面斜視図である。
【図７】図１の排水トラップの受入室付近の断面斜視図である。
【図８】浴槽排水導入部材のトップケース及び周壁部を取り外した状態を示す図７と同様部分の断面斜視図である。
【図９】図８からさらに浴槽排水導入部材のボトムケース及びサイドケースを取り外した状態を示す断面斜視図である。
【図１０】図６のＸ−Ｘ線に沿う断面図である。
【図１１】第２の実施の形態に係る排水トラップの洗い場排水受入口から受入室内を見た斜視図である。
【図１２】図１１の排水トラップの底部付近の断面図である。
【図１３】浴槽排水導入部材のトップケース及び周壁部を取り外した状態を示す、図１１と同様部分の斜視図である。
【図１４】第３の実施の形態に係る排水トラップの合流流出口付近の断面図である。
【図１５】図１５の排水トラップの合流流出口付近の断面斜視図である。
【図１６】従来例に係る排水トラップの縦断面図である。
【図１７】図１６の排水トラップの斜視図である。
【発明を実施するための形態】
【００５８】
以下、本発明の実施の形態を図面に基づいて説明する。
【００５９】
［第１の実施の形態］
第１図は第１の実施の形態に係る排水トラップを備えた浴室の模式的な斜視図である。第２図はこの排水トラップの斜視図、第３図は第２図のIII−III線に沿う断面斜視図、第４図は第２図と同様部分を第３図（排水管接続部側）と反対側（排水ソケット側）から見た断面斜視図、第５図はこの排水トラップの上方から受入室内を見た斜視図、第６図は第５図のVI−VI線に沿う断面斜視図、第７図はこの排水トラップの受入室付近の断面斜視図、第８図は浴槽排水導入部材のトップケース及び周壁部を取り外した状態を示す第７図と同様部分の断面斜視図、第９図は第８図からさらに浴槽排水導入部材のボトムケース及びサイドケースを取り外した状態を示す断面斜視図、第１０図は第６図のＸ−Ｘ線に沿う断面図である。
【００６０】
第１図の通り、浴室の床は浴槽パン１と洗い場パン２とによって構成され、この浴槽パン１上に浴槽３が設置されている。浴槽パン１及び浴槽３の底面にはそれぞれ浴槽パン排水口及び浴槽排水口（いずれも図示略）が設けられている。該浴槽パン排水口は浴槽排水口よりも大径となっており、且つ浴槽排水口は浴槽パン排水口の内側に露呈するように配置されている。洗い場パン２の浴槽３側には排水枡（図示略）が形成されている。この排水枡は洗い場パン２と一体に凹み状に形成されており、その底面に洗い場排水口（図示略）が設けられている。排水枡の上面には排水目皿４が覆設されている。
【００６１】
これらの浴槽パン排水口、浴槽排水口並びに洗い場排水口に対し、下側から排水トラップ１０が連結されている。
【００６２】
排水トラップ１０は、洗い場パン２からの排水が排水枡の洗い場排水口を通り流入する洗い場排水受入口１１と、浴槽３からの排水が浴槽排水口を通り流入する浴槽排水流入口１２と、浴槽パン１からの排水が浴槽パン排水口を通り流入する浴槽パン排水流入口１３とを備えている。また、この排水トラップ１０の該浴槽排水流入口１２及び浴槽パン排水流入口１３と反対側の側面部には、これらの洗い場排水受入口１１、浴槽排水流入口１２及び浴槽パン排水流入口１３から該排水トラップ１０内に流入した水が流出する合流流出口１４が設けられている。この合流流出口１４に排水管５が接続されている。
【００６３】
排水トラップ１０は、該浴槽パン排水口への接続用の排水ソケット１５（第２〜４図）を備えている。この排水ソケット１５は、円形の底面部１５ａと、該底面部１５ａの周縁から立設された環状の周壁部１５ｂとを有した皿形のものである。該周壁部１５ｂの上端外周には外向き鍔状のフランジ部１５ｃが周設されている。周壁部１５ｂの内周面には雌ねじ１５ｄが周設されている。浴槽パン排水口を介して排水ソケット１５の周壁部１５ｂに環状の結合フランジ４（第１図）が上方から螺着されている。排水ソケット１５のフランジ部１５ｃと該結合フランジ６とによって浴槽パン排水口の縁部が挟持され、これにより排水ソケット１５が浴槽パン排水口に接続されている。
【００６４】
第２，４図の通り、排水ソケット１５の底面部１５ａから円筒形の浴槽排水口接続部１５ｅが立設されており、この浴槽排水口接続部１５ｅの上面開口が前記浴槽排水流入口１２となっている。浴槽排水口は、この浴槽排水口接続部１５ｅに差込管（図示略）を介して接続されている。この差込管は、上下方向に延在しており、上端は浴槽排水口に水密的に取り付けられ、下部が浴槽排水流入口１２に差し込まれている。この差込管により、浴槽３の排水は直接的に該浴槽排水流入口１２に注ぎ込まれるようにして流出する。この浴槽排水口接続部１５ｅと周壁部１５ｂとの間が浴槽パン排水流入口１３となっている。
【００６５】
第３，４図に示すように、底面部１５ａの下面側には配管接続用ハウジング１５ｆが排水ソケット１５と一体的に形成されており、浴槽排水流入口１２は浴槽排水口接続部１５ｅ内を介してこの配管接続用ハウジング１５ｆ内に連通している。この配管接続用ハウジング１５ｆに、浴槽排水流路３０を構成する配管１６の一端側（上流側）が接続されている。この配管１６の他端側（下流側）は、後述のハウジング２５の浴槽排水流入口２５ｆに接続されている。このハウジング２５の上面部に、洗い場排水受入口１１を構成する開口２５ａが設けられている。排水枡の洗い場排水口を介してこの開口２５ａに環状の結合フランジ７（第１図）が上方から螺着されることにより、ハウジング２５が排水枡の底部に連結されている。なお、このハウジング２５の詳細な構成については後述する。
【００６６】
この結合フランジ７を通してハウジング２５内に上方から着脱可能にヘアキャッチャー１７が差し込まれている。このヘアキャッチャー１７は、上面が開いたカゴ（篭）状である。
【００６７】
次に、第２〜１０図を参照してこの排水トラップ１０の構成について詳細に説明する。
【００６８】
排水トラップ１０は、略円筒状の周壁部２１によって囲まれており、上部に前記洗い場排水受入口１１を有し、下部に第１流出口２２を有した洗い場排水の受入室２０と、内部に周壁部２１を受け入れており、該第１流出口２２からの流出水が流入する封水室２３と、該封水室２３と前記合流流出口１４とに連なっており、該封水室２３からの溢出水を該合流流出口１４に流出させるための第２流出口２４と、受入室２０の下側を通って延在しており、上流側に前記浴槽排水流入口１２を有し、下流側に該合流流出口１４に連なる第３流出口３１を有した浴槽排水流路３０と、受入室２０の下側の浴槽排水流路３０の水の一部を該受入室２０内に導入するための導水部材４０等を備えている。
【００６９】
封水室２３はハウジング２５によって取り囲まれている。第３，４図の通り、このハウジング２５の下面が実質的に排水トラップ１０の最下部となっている。このハウジング２５の上面の開口２５ａから該ハウジング２５内に周壁部２１がその筒軸心方向を上下方向として挿入されている。周壁部２１の上端部には外向き鍔状のフランジ部２１ａが周設されている。このフランジ部２１ａの外径は、開口２５ａの内径よりも小さなものとなっている。開口２５ａの内周縁に筒状部２５ｂが連なっている。この筒状部２５ｂの内周面には雌ねじ２５ｃが周設されている。この実施の形態では、前記結合フランジ７がこの雌ねじ２５ｃを介して筒状部２５ｂに螺合している。この結合フランジ７とハウジング２５の上面とによって洗い場排水口の縁部が挟持され、これによりハウジング２５が排水枡の底部に連結されている。なお、周壁部２１のフランジ部２１ａの外径は、この結合フランジ７の内径よりも小さなものとなっている。
【００７０】
筒状部２５ｃの下端部には、内向き鍔状のフランジ部２５ｄが周設されている。このフランジ部２５ｄの内径は、周壁部２１の外径よりも若干大きなものとなっている。このフランジ部２５ｄの内周側に周壁部２１が挿抜可能に挿入され、該フランジ部２５ｄに周壁部２１のフランジ部２１ａが重なっている。このハウジング２５の内面と周壁部２１の外周面との間が封水室２３となっている。
【００７１】
この実施の形態では、該ハウジング２５の底面（即ち封水室２３の底面）に、前記浴槽排水流路３０を形成するためのトンネル状の流路形成部材５０が設置されている。この実施の形態では、該流路形成部材５０は、ハウジング２５の底面の浴槽３側（上流側）からこれと反対側（下流側）まで延設されている。該流路形成部材５０は、この実施の形態では、ハウジング２５の底面から起立した１対の側壁部５１，５１と、該側壁部５１，５１の上端同士に連なる天井部５２とを有している。ハウジング２５内においては、この流路形成部材５０の側壁部５１，５１及び天井部５２とハウジング２５の底面とによって囲まれた領域が浴槽排水流路３０となっている。浴槽排水流路３０は、浴槽３から合流流出口１４まで最短距離にて延在するように形成されているため、浴槽排水がこの浴槽排水流路３０を通ってスムーズに合流流出口１４まで流れる。第３，４図の通り、周壁部２１がハウジング２５内にセットされた状態において、該周壁部２１の下端は、その下方に存在する流路形成部材５０の天井部５２の上面から離隔している。この周壁部２１の下端と流路形成部材５０の天井部５２との間の隙間は０〜２０ｍｍ特に５〜１５ｍｍ程度であることが好ましい。
【００７２】
第３，４図の通り、ハウジング２５の上流側の側面２５ｅの下部に浴槽排水流入口２５ｆが設けられており、この浴槽排水流入口２５ｆに流路形成部材５０の上流側が連なっている。この浴槽排水流入口２５ｆには、ハウジング２５の外部側から前記配管１６の下流側が接続されている。
【００７３】
第３，４図の通り、ハウジング２５の底面のうち周壁部２１の下方よりも下流側の領域は、該周壁部２１から離隔するほど上位となる立上部２５ｇとなっている。流路形成部材５０の下流側も、この立上部２５ｇに沿って、該下流側ほど上位となるように延在している。この立上部２５ｇの上端のレベルは、流路形成部材５０のうち該立上部２５ｇよりも上流側に配設された部分の天井部５２よりも上位となっている。立上部２５ｇの上端には、さらに下流側に向って略水平に延在した棚状部２５ｈが連なっている。流路形成部材５０の下流側は、この棚状部２５ｈ上まで延在している。この棚状部２５ｈ上における流路形成部材５０（後述の拡幅部５０ｂ）の天井部５２の上面のレベルは、周壁部２１の下端よりも上位となっている。この流路形成部材５０の下流側の端面に前記第３流出口３１が形成されている。
【００７４】
この実施の形態では、前記排水ソケット１５の浴槽排水口接続部１５ｅ及び配管接続用ハウジング１５ｆ、配管１６並びに流路形成部材５０によって浴槽排水流路３０が構成されている。
【００７５】
第３，４図の通り、ハウジング２５の下流側の側面２５ｉに開口２５ｊが設けられており、この開口２５ｊに略円筒状の前記合流流出口１４が連なっている。この開口２５ｊの下縁のレベルは、棚状部２５ｈの上面（立上部２５ｇの上端）と略同レベルとなっている。また、この開口２５ｊの上縁のレベルは、棚状部２５ｈ上における流路形成部材５０の天井部５２の上面よりも上位となっている。この開口２５ｊの下部に前記第３流出口３１が臨んでいる。また、この開口２５ｊのうち該第３流出口３１よりも上側部分が前記第２流出口２４となっている。即ち、棚状部２５ｈ上における流路形成部材５０の天井部５２の上面が、この第２流出口２４の下縁となっている。
【００７６】
第１０図の通り、この実施の形態では、流路形成部材５０の上流側及び下流側は、ハウジング２５の底面の幅方向（側壁部５１，５１同士の接離方向）の両端側まで拡幅した拡幅部５０ａ，５０ｂとなっており、該拡幅部５０ａ，５０ｂ同士の間の部分は、これらよりも幅（側壁部５１，５１同士の間隔）が小さい狭幅部５０ｃとなっている。これにより、ハウジング２５の底面のうち該狭幅部５０ｃの両側部分は、それぞれ、該狭幅部５０ｃの天井部５２よりも低くなった低所２６となっている。
【００７７】
この狭幅部５０ｃの少なくとも一部が受入室２０の下方に配設されている。この実施の形態では、該狭幅部５０ｃは、受入室２０の下方を通って上流側の拡幅部５０ａの幅方向中間付近と下流側の拡幅部５０ｂの幅方向中間付近とを繋ぐように延在している。この狭幅部５０ｃの幅は、周壁部２１の内径よりも小さなものとなっている。そのため、第１０図の通り、この狭幅部５０ｃのうち受入室２０の下方に配設された部分の側壁部５１，５１は、排水トラップ１０を平面視した状態において、周壁部２１の内周面よりも内側に位置している。これにより、この狭幅部５０ｃの両側の低所２６は、それぞれ、排水トラップ１０を平面視した状態において、該狭幅部５０ｃに隣接した領域が周壁部２１の内周面よりも内側に存在し、該狭幅部５０ｃから離隔した領域が周壁部２１の外周面よりも外側に存在したものとなっている。
【００７８】
なお、本発明においては、狭幅部５０ｃは、排水トラップ１０を平面視した状態において、一方の側壁部５１のみが周壁部２１の内周面よりも内側に位置し、他方の側壁部５１は周壁部２１の外周面よりも外側に位置するように配設されてもよい。この場合、狭幅部５０ｃの幅は、周壁部２１の内径よりも大きくてもよい。また、この場合、排水トラップ１０を平面視した状態において周壁部２１の内周面よりも内側に位置した側壁部５１にのみ隣接して低所２６が形成されてもよい。即ち、この実施の形態では狭幅部５０ｃの両側にそれぞれ低所２６が形成されているが、狭幅部５０ｃの片側にのみ低所２６が形成されてもよい。この実施の形態では、低所２６は、第１０図の通り、狭幅部５０ｃの側壁部５１の外面（浴槽排水流路３０と反対側の面）からこれと対向する封水室２３の側壁面まで延在しているが、低所２６は、この封水室２３の側面から離隔していてもよい。
【００７９】
この実施の形態では、狭幅部５０ｃのうち受入室２０の下方に配設された部分に、他の部分より幅が広がった拡幅部５０ｄが形成されている。第１０図の通り、この拡幅部５０ｄは、略円形の平面視形状を有しており、周壁部２１と略同心状に配置されている。この拡幅部５０ｄの幅（外径）も、周壁部２１の内径より小さいものとなっている。
【００８０】
なお、この実施の形態では、狭幅部５０ｃは、その幅方向の中央部が周壁部２１の筒軸心線の真下付近を通るように配設されている。この場合、浴槽排水流路３０は、浴槽３から合流流出口１４まで最短距離にて延在するように形成されているため、浴槽排水がこの浴槽排水流路３０を通ってスムーズに合流流出口１４まで流れる。ただし、狭幅部５０ｃの配置はこれに限定されない。また、流路形成部材５０の形状は図示の形状に限定されない。
【００８１】
狭幅部５０ｃにおける側壁部５１，５１同士の間隔（狭幅部５０ｃにおける浴槽排水流路３０の幅）は１０〜５０ｍｍ特に１５〜４０ｍｍであることが好ましい。ハウジング２５の底面と流路形成部材５０の天井部５２の下面との間隔（ハウジング２５内における浴槽排水流路３０の高さ）は５〜２０ｍｍ特に１０〜１５ｍｍであることが好ましい。低所２６の深さ即ちハウジング２５の底面から狭幅部５０ｃの天井部５２の上面までの高さは８〜２３ｍｍ特に１３〜１８ｍｍであることが好ましい。排水トラップ１０を平面視した状態において、各低所２６のうち周壁部２１の内周面よりも内側に存在した部分の総面積は、周壁部２１の開口面積の１０〜７０％特に３０〜５０％であることが好ましい。
【００８２】
この実施の形態では、受入室２０の下方の拡幅部５０ｄの天井部５２に、浴槽排水流路３０内に連通する開口５３が設けられている。この実施の形態では、該開口５３は、略円形であり、周壁部２１と略同心状に配置されている。なお、開口５３の形状及び配置はこれに限定されない。
【００８３】
この実施の形態では、該開口５３に、浴槽排水流路３０内を流れる水の一部を受入室２０内に導入するための前記導水部材４０が連結されている。この実施の形態では、該導水部材４０は、開口５３に上方から連結されるボトムケース４１と、該ボトムケース４１から受入室２０内に向って立設されたサイドケース４２と、該サイドケース４２の上端側に取り付けられたトップケース４３等を備えている。
【００８４】
第３，４，７，８図の通り、該ボトムケース４１は、該開口５３を取り囲む略円筒形の周壁部４１ａ（第７，８図）と、該周壁部の上方を閉鎖した天井部４１ｂ（第７，８図）とを有し、底面が開放した逆カップ形状となっている。このボトムケース４１の底面の開放口が浴槽排水の導入口となっている。該周壁部４１ａの外径は、周壁部２１の内径よりも小さなものとなっている。該周壁部４１ａの下端側からは、開口５３の内周縁に係合する係合部４１ｃが突設されている。この係合部４１ｃを介してボトムケース４１が開口５３の周縁部に着脱可能に連結されている。
【００８５】
第３，４，８図の通り、サイドケース４２は、内部に浴槽排水導入路（符号略）を有した管状のものであり、その基端側がボトムケース４１の周壁部４１ａの外周面に連なっている。このサイドケース４２内の浴槽排水導入路の上流側は、該周壁部４１ａに形成された開口（符号略）を介してボトムケース４１の内部空間と連通している。このサイドケース４２は、その基端側から途中部までが周壁部２１の内周面に接近するように斜め上方に向って延在しており、該途中部から上端側が該周壁部２１の内周面に沿って略鉛直上方に向って延在している。サイドケース４２の上端部から、トップケース４３に係合する係合凸部４２ａ（第８図）が突設されている。サイドケース４２内の浴槽排水導入路の下流側は、この係合凸部４２ａの上端面に開放している。この実施の形態では、２個のサイドケース４２がボトムケース４１を挟んで互いに反対方向へ延出するように設けられている。各サイドケース４２は、ボトムケース４１と一体的に形成されている。なお、導水部材４０に設けられるサイドケース４２の個数及び配置はこれに限定されるものではなく、サイドケース４２は、１個だけ設けられてもよく、周壁部４１ａの周方向に間隔をおいて３個以上設けられてもよい。サイドケース４２は、基端側がボトムケース４１の天井部４１ｂに連なっていてもよい。該天井部４１ｂから略鉛直上方に立設されていてもよい。
【００８６】
この実施の形態では、ボトムケース４１は、第６〜８図に示すように、各サイドケース４２がそれぞれ該ボトムケース４１から流路形成部材５０の上流側及び下流側に向って延出した姿勢にて開口５３に連結されている。これにより、各サイドケース４２は、流路形成部材５０の上方に配置され、各低所２６の上方には全く又は殆ど存在しないものとなるため、受入室２０内の水がスムーズに各低所２６に流れ落ちるようになる。開口５３の周囲の天井部５２の上面からは、ボトムケース４１をこのような姿勢にて開口５３に連結したときに、該ボトムケース４１の周壁部４１ａの外周面と各サイドケース４２の側面との交差部付近に当接して該ボトムケース４１の回転を阻止するストッパ片５４が突設されている。
【００８７】
各サイドケース４２の上端部にそれぞれ前記トップケース４３が取り付けられている。この実施の形態では、各トップケース４３は、各サイドケース４２と別体に形成されており、各サイドケース４２の上端側の係合凸部４２ａが、それぞれ、各トップケース４３の下面に形成された係合孔（符号略。第３，４図参照。）に着脱可能に係合している。この実施の形態では、各トップケース４３は、周壁部２１と一体的に形成されている。即ち、各トップケース４３は、周壁部２１をハウジング２５の上面開口２５ａに挿抜するのに伴い、各サイドケース４２に対し着脱可能となっている。各トップケース４３は、周壁部２１の内周面に沿って該周壁部２１の周方向に延在している。この実施の形態では、周壁部２１の周方向に略等間隔にて２個のトップケース４３が配設されている。
【００８８】
各トップケース４３の内部には、上流側が各トップケース４３の下面の前記係合孔に連通した浴槽排水導入路が設けられている。この浴槽排水流路の下流側は、各トップケース４３の周方向の一端側の端面に形成された吐水口４３ａに連なっている。この吐水口４３ａから周壁部２１の内周面の接線方向に浴槽排水が吐出される。即ち、この実施の形態では、各トップケース４３により旋回流形成手段が構成されている。この実施の形態では、該吐水口４３ａは、各トップケース４３のうち、受入室２０を上方から見たときの反時計方向の端面に設けられている。これにより、該吐水口４３ａから浴槽排水が吐出された場合には、この吐出水の水勢によって受入室２０内に該反時計方向の旋回流が形成されるようになる。なお、各トップケース４３のうち、受入室２０を上方から見たときの時計方向の端面に吐水口４３ａを設けてもよい。この場合、受入室２０内には、該吐水口４３ａからの吐出水の水勢により、該時計回り方向の旋回流が形成されるようになる。
【００８９】
この実施の形態では、各トップケース４３の吐水口４３ａの下縁から舌片状のガイド片４３ｂ（第５図）が突設されている。このガイド片４３ｂは、基端側から先端側まで略水平に延在していてもよく、先端側が上方へ反り返るように湾曲したジャンプ台の如き形状となっていてもよい。
【００９０】
第７図の通り、各トップケース４３は、吐水口４３ａの上縁のレベルが周壁部２１の上縁よりも高位となるように配設されている。この吐水口４３ａの下縁（ガイド片４３ｂの上面）のレベルは、周壁部２１の上縁と同レベルであってもよく、高位となっていてもよく、低位となっていてもよい。
【００９１】
この実施の形態では、各トップケース４３は、浴槽排水流入口１２から受入室２０内に差し込まれたヘアキャッチャー１７を所定高さに支持する支持部材としても機能するように構成されている。即ち、この実施の形態では、ヘアキャッチャー１７の下面は、中央側ほど下位となり、且つ下方へ向って凸に湾曲した略々球状面となっており、各トップケース４３の上面は、このヘアキャッチャー１７の下面に沿う凹曲面となっている。
【００９２】
ヘアキャッチャー１７の上端部には、放射方向に張り出すフランジ部１７ａが周設されている。このフランジ部１７ａの外径は、前記結合フランジ７の内径と同等かそれよりも若干小さいものとなっている。第３，４図の通り、ヘアキャッチャー１７を、該フランジ部１７ａの上面が結合フランジ７の上面と略面一となるまで受入室２０内に差し込むと、各トップケース４３の上面にヘアキャッチャー１７の下面に当接し、ヘアキャッチャー１７が各トップケース４３によって支持されるようになる。このヘアキャッチャー１７は、その下端が受入室２０内の封水面（この実施の形態では、流路形成部材５０の下流側の棚状部２５ｈ上における天井部５２の上面、即ち第２流出口２４の下縁のレベル）よりも若干上方に位置するように各トップケース４３によって支持される。このとき、ヘアキャッチャー１７のフランジ部１７ａが、結合フランジ７の内周面に設けられた係止部７ａ（第５図）に係合する。これにより、ヘアキャッチャー１７は、受入室２０内に形成された旋回流によって上方に押されても浮き上がらないように、該結合フランジ７に係止される。
【００９３】
このように構成された排水トラップ１０の作動について次に説明する。
【００９４】
洗い場パン２からの排水は、排水枡及び洗い場排水流入口１１を通って受入室２０に流入し、この受入室２０から第１流出口２２を通って封水室２３に流入する。この際、該第１流出口２２からの流出水は、周壁部２１の下端とその下方の流路形成部材５０の天井部５２の上面との間の隙間、並びに該流路形成部材５０の両側の各低所２６を通って封水室２３に流入する。この封水室２３内の水は、第２流出口２４及び合流流出口１４を通って排水管５に流出する。この洗い場排水の流出が停止すると、封水室２３内には、第２流出口２４の下縁のレベルまで封水が残る。この封水に周壁部２１の下端が没するので、排水管５の臭気が洗い場排水受入口１１から浴室内に逆流することが防止される。
【００９５】
浴槽３からの排水は、浴槽排水口及び浴室排水流入口１２を通って浴槽排水流路３０に流入し、この排水流路３０、第３流出口３１及び合流流出口１４を通って排水管５に流出する。この際、該浴槽排水流路３０を流れる水の一部は、該浴槽排水流路３０の途中で開口５３から導水部材４０のボトムケース４１内に流入し、次いで、このボトムケース４１内から各サイドケース４２の浴槽排水導入路にそれぞれ流入し、各サイドケース４２内及びその上端側に取り付けられた各トップケース４３内の浴槽排水導入路を通って各トップケース４３の吐水口４３ａから受入室２０内に流出する。
【００９６】
この際、各吐水口４３ａから水が受入室２０内へ周壁部２１の内周面の接線方向に流出するため、その水勢により受入室２０内に旋回流が形成されるようになる。そして、この水の流入により受入室２０内の水位が上昇し、ヘアキャッチャー１７あるいはさらに排水枡が旋回流に浸水した状態となる。これにより、排水枡の内面やヘアキャッチャー１７に付着しているゴミがこすり落とされて、髪の毛等のゴミは渦の中心に集められ、ヘアキャッチャー１７の底面中央部に集められる。これにより、排水枡の内面やヘアキャッチャー１７の内外面が浄化され、ヌメリ等が除去される。また、ヘアキャッチャー１７内のゴミを摘んで捨てることができるようになる。
【００９７】
受入室２０内で旋回している水の一部は、該受入室２０の下部の第１流出口２２を通って封水室２３に流入する。この際、前述の通り、該第１流出口２２からの流出水は、周壁部２１の下端とその下方の流路形成部材５０の天井部５２の上面との間の隙間、並びに該流路形成部材５０の両側の各低所２６を通って封水室２３に流入する。その後、この封水室２３内の水は、第２流出口２４及び合流流出口１４を通って排水管５に流出する。浴槽排水の流出が停止すると、浴槽排水流路３０内には棚状部２５ｈの上面のレベルまで封水が残り、この封水によって浴槽排水流路３０が封鎖されるため、排水管５の臭気が浴槽排水流入口１２から浴室内に逆流することが防止される。
【００９８】
なお、浴槽排水が合流流出口１４を通って排水管５に流出するのに伴い、封水室２３内に負圧が生じて該封水室２３内の封水が合流流出口１４に吸い出されることがあるが、導水部材４０から受入室２０内に浴槽排水流路３０の水の一部が流入することにより封水室２３内に封水が補給されるため、該封水室２３内で封水切れすることが防止される。
【００９９】
次に、この排水トラップ１０の掃除やメンテナンスを行う際の手順について第７〜９図を参照して説明する。
【０１００】
排水トラップ１０を清掃する場合、まず、排水目皿４を外し、洗い場排水受入口１１から周壁部２１を引き抜く。この際、該周壁部２１と一体的に導水部材４０の各トップケース４３が各サイドケース４２から取り外される。第８図は、このようにして周壁部２１及び各トップケース４３を取り外した後の状態を示している。次に、洗い場排水受入口１１からハウジング２５内に手や工具を挿入し、ボトムケース４１やサイドケース４２を掴んで該ボトムケース４１を開口５３から引き抜き、洗い場排水受入口１１からハウジング２５外に取り出す。第９図は、このようにしてボトムケース４１及びサイドケース４２を取り外した後の状態を示している。
【０１０１】
その後、洗い場排水受入口１１からハウジング２５内に掃除用具や工具を挿入して該ハウジング２５内の掃除やメンテナンスを行ったり、さらには開口５３から浴槽排水流路３０内に掃除用具や工具を挿入して該浴槽排水流路３０内の掃除やメンテナンスを行う。また、取り外した周壁部２１及び各トップケース４３、ボトムケース４１及びサイドケース４２の掃除やメンテナンスを行う。
【０１０２】
このように周壁部２１や導水部材４０をハウジング２５内から取り外して掃除やメンテナンスを行うことにより、該周壁部２１及び導水部材４０、並びにハウジング２５内及び浴槽排水流路３０内を容易に且つ入念に掃除やメンテナンスすることができる。
【０１０３】
この排水トラップ１０の作用効果は以下の通りである。
【０１０４】
この排水トラップ１０にあっては、水が受入室２０から第１流出口２２を通って封水室２３に流入する際には、この水は、周壁部２１の下端とその下方の流路形成部材５０の天井部５２の上面との間の隙間だけでなく、該流路形成部材５０の両側の各低所２６を通って封水室２３に流入する。各低所２６の底面と周壁部２１の下端との間には、周壁部２１の下端と流路形成部材５０の天井部５２の上面との間よりも大きな隙間が存在するため、各低所２６を介して第１流出口２２から水を大流量にて封水室２３に流入させることができる。これにより、洗い場排水及び浴槽排水を速やかに排水管５に排出させることができる。
【０１０５】
この排水トラップ１０によれば、上記の通り、第１流出口２２から水が各低所２６を通って十分な流量にて封水室２３に流入することができるので、周壁部２１の下端と流路形成部材５０の天井部５２の上面との間の隙間を小さくすることができる。これにより、比較的高さの小さい排水トラップを構成することが可能である。
【０１０６】
この実施の形態では、前述の通り、浴槽排水時には、浴槽排水流路３０内の水の一部が開口５３及び導水部材４０を介して受入室２０内に導入され、この水が封水室２３に補給されるため、浴槽排水時に封水室２３内に負圧が生じても、該封水室２３内で封水切れすることが防止される。
【０１０７】
その際、導水部材４０の各吐水口４３ａから受入室２０内へ周壁部２１の内周面の接線方向に浴槽排水が吐出され、その水勢により受入室２０内に旋回流が形成されるため、この受入室２０内に設置されたヘアキャッチャー１７が旋回流に浸漬され、ヘアキャッチャー１７内の毛髪などのゴミがヘアキャッチャー１７の中心に集められる。これにより、ゴミを摘んで捨てることができるようになる。また、ヘアキャッチャー１７の内外面が旋回流に浸漬されて浄化され、ヌメリ等が除去される。
【０１０８】
この実施の形態では、開口５３に連結された１個のボトムケース４１から２個のサイドケース４２が分岐しており、各サイドケース４２の上端部にそれぞれ吐水口４３ａを有するトップケース４３が取り付けられている。各トップケース４３は、周壁部２１の周方向に間隔をおいて配設されており、これらの吐水口４３ａからそれぞれ受入室２０内に水が吐出されるため、受入室２０内に強力な旋回流を形成することができる。また、各トップケース４３は、受入室２０の中心から離隔した周壁部２１の内周面に沿って配設されているため、各トップケース４３の吐水口４３ａからの吐出水により、効率よく受入室２０内に旋回流を形成することができる。このように、１個の開口５３から導水部材４０内に導入された水が複数個の吐水口４３ａから受入室２０内に吐出されるように導水部材４０を構成することにより、各吐水口４３ａの配置の自由度が高く、より効果的に且つ強力な旋回流を形成し得るように各吐水口４３ａを配置することができる。
【０１０９】
この実施の形態では、導水部材４０の各サイドケース４２は、浴槽排水流路５０の上方に配設されており、各低所２６の上方には全く又は殆ど存在しないものとなっているので、受入室２０内の水は、各サイドケース４２に邪魔されることなく、スムーズに各低所２６に流れ落ちる。これにより、受入室２０内の水が各低所２６を通って速やかに封水室２３に流出するようになる。
【０１１０】
なお、この実施の形態では、開口５３は、受入室２０内への浴槽排水導入用の開口と、浴槽排水流路３０内の清掃又はメンテナンス用の開口とを兼ねたものとなっているが、この開口５３とは別に、浴槽排水流路３０内を清掃又はメンテナンスするための専用の開口が設けられてもよい。あるいは、この開口５３を浴槽排水流路３０内の清掃又はメンテナンス用の開口とし、この開口５３とは別に、受入室２０内への浴槽排水導入用の開口が設けられてもよい。
【０１１１】
［第２の実施の形態］
第１１図は第２の実施の形態に係る排水トラップの洗い場排水受入口から受入室内を見た斜視図、第１２図はこの排水トラップの底部付近の断面図、第１３図は、周壁部及び導水部材のトップケースを取り外した状態を示す、第１１図と同様部分の斜視図である。なお、第１２図は前述の第５図と同様部分の断面を示している。
【０１１２】
この実施の形態の排水トラップ１０Ａにおいては、受入室２０の下方の流路形成部材５０の天井部５２に、該受入室２０の中央に位置する開口５３とは別に、受入室２０内への浴槽排水導入用の開口５５が複数個設けられている。即ち、この実施の形態では、該開口５３は、浴槽排水流路３０内を清掃又はメンテナンスするための専用の開口となっている。浴槽排水流路３０内を清掃又はメンテナンスする時以外には、該開口５３は、着脱可能な蓋６０によって閉鎖されている。
【０１１３】
第１２図の通り、この実施の形態では、流路形成部材５０の上流側の拡幅部５０ａが周壁部２１の中央付近の下方まで延在しており、それよりも下流側が狭幅部５０ｃとなっている。この排水トラップ１０Ａにあっても、該狭幅部５０ｃの両側の低所２６は、第１２図の通り、排水トラップ１０Ａを平面視した状態において、狭幅部５０ｃに隣接した領域が周壁部２１の内周面よりも内側に存在し、該狭幅部５０ｃから離隔した領域が周壁部２１の外周面よりも外側に存在したものとなっている。
【０１１４】
この実施の形態では、拡幅部５０ａの天井部５２に、ハウジング２５の幅方向に間隔をあけて２個の開口５５が設けられている。各開口５５は、排水トラップ１０Ａを平面視した状態において、周壁部２１の内周面よりも内側に配設されている。各開口５５の周縁部からそれぞれ受入室２０内に向って管状の導水部４４が突設されている。各導水部４４の上端側にそれぞれトップケース４３が取り付けられている。この実施の形態では、これらの導水部４４及びトップケース４３により２個の導水部材４０Ａが構成されている。
【０１１５】
この実施の形態でも、各トップケース４３は、各導水部４４と別体に構成されており、各導水部４４の上端側の係合凸部４４ａが各トップケース４３の下面の係合孔（図示略）に着脱可能に係合している。各トップケース４３は、周壁部２１と一体的に形成されている。各導水部４４内の浴槽排水導入路（符号略）は、上流側が各開口５５に連なり、下流側が該係合凸部４４ａの上端面に開放しており、該係合孔を介して各トップケース４３内の浴槽排水導入路（符号略）に連通している。なお、各導水部４４は、各開口５５の周縁部に対し着脱可能に連結されていてもよい。
【０１１６】
この排水トラップ１０Ａのその他の構成は、前述の第１の実施の形態における排水トラップ１０と同様であり、第１１〜１３図において第１〜１０図と同一符号は同一部分を示している。
【０１１７】
この排水トラップ１０Ａにあっても、浴槽３からの排水は、該浴槽排水口及び浴室排水流入口１２を通って浴槽排水流路３０に流入し、この排水流路３０、第３流出口３１及び合流流出口１４を通って排水管５に流出する。この際、該浴槽排水流路３０を流れる水の一部は、該浴槽排水流路３０の途中で各開口５５から各導水部材４０Ａの導水部４４内に流入し、次いで、各導水部４４内及びその上端側に取り付けられた各トップケース４３内の浴槽排水導入路を通って各トップケース４３の吐水口４３ａから受入室２０内に流出する。この水の補給により、浴槽排水時における封水室２３内の封水切れが防止される。
【０１１８】
この際、各吐水口４３ａから水が受入室２０内へ周壁部２１の内周面の接線方向に流出するため、その水勢により受入室２０内に旋回流が形成されるようになる。そして、この水の流入により受入室２０内の水位が上昇し、ヘアキャッチャー１７あるいはさらに排水枡が旋回流に浸水した状態となる。これにより、排水枡の内面やヘアキャッチャー１７に付着しているゴミがこすり落とされて、髪の毛等のゴミは渦の中心に集められ、ヘアキャッチャー１７の底面中央部に集められる。これにより、排水枡の内面やヘアキャッチャー１７の内外面が浄化され、ヌメリ等が除去される。また、ヘアキャッチャー１７内のゴミを摘んで捨てることができるようになる。
【０１１９】
受入室２０内で旋回している水の一部は、該受入室２０の下部の第１流出口２２を通って封水室２３に流入する。この際、該第１流出口２２からの流出水は、周壁部２１の下端とその下方の流路形成部材５０の天井部５２の上面との間の隙間、並びに該流路形成部材５０の両側の各低所２６を通って封水室２３に流入する。その後、この封水室２３内の水は、第２流出口２４及び合流流出口１４を通って排水管５に流出する。浴槽排水の流出が停止すると、浴槽排水流路３０内には棚状部２５ｈの上面のレベルまで封水が残り、この封水によって浴槽排水流路３０が封鎖されるため、排水管５の臭気が浴槽排水流入口１２から浴室内に逆流することが防止される。
【０１２０】
この排水トラップ１０Ａのその他の作動は、第１の実施の形態の排水トラップ１０と同様である。
【０１２１】
この排水トラップ１０Ａを清掃又はメンテナンスする場合、第１の実施の形態と同様に、まず、排水目皿４を外し、洗い場排水受入口１１から周壁部２１を引き抜く。この際、該周壁部２１と一体的に各導水部材４０Ａのトップケース４３が導水部４４から取り外される。また、洗い場排水受入口１１からハウジング２５内に手や工具を挿入して蓋６０を外し、開口５３を開放させる。第１３図は、このようにして周壁部２１及び各トップケース４３、並びに蓋６０を取り外した後の状態を示している。次に、洗い場排水受入口１１からハウジング２５内に掃除用具や工具を挿入して該ハウジング２５内及び導水部４４の掃除又はメンテナンスを行ったり、さらには開口５３から浴槽排水流路３０内に掃除用具や工具を挿入して該浴槽排水流路３０内を掃除又はメンテナンスする。また、取り外した周壁部２１及び各トップケース４３、並びに蓋６０も掃除又はメンテナンスする。
【０１２２】
この排水トラップ１０Ａにあっても、周壁部２１及び各導水部材４０Ａのトップケース４３、並びに蓋６０を取り外して掃除やメンテナンスを行うことにより、該周壁部及び各トップケース４３、並びにハウジング２５内及び浴槽排水流路３０内を容易に且つ入念に掃除やメンテナンスすることができる。
【０１２３】
この実施の形態では、受入室２０の底面に、受入室２０内へ浴槽排水を導入するための専用の開口５５を設けてこの開口５５に導水部材４０Ａを配設しているので、各導水部材４０Ａの配置の自由度が高い。これにより、受入室２０内に、より効果的に且つ強力な旋回流を形成し得るように各導水部材４０Ａを配設することができる。
【０１２４】
この実施の形態では、受入室２０の底面に２個の開口５５を設けてそれぞれ導水部材４０Ａを配設しており、これらの導水部材４０Ａの吐水口４３ａからそれぞれ受入室２０内に浴槽排水が吐出されるので、受入室２０内に強力な旋回流を形成することができる。
【０１２５】
この排水トラップ１０Ａのその他の作用効果は、前述の第１の実施の形態の排水トラップ１０と同様である。
【０１２６】
なお、この実施の形態では、流路形成部材５０の天井面に、受入室２０内への浴槽排水導入用の開口５５が２個設けられているが、１個又は３個以上設けられてもよい。また、この実施の形態では、各開口５５にそれぞれ１個の吐水口４３ａを有する導水部材４０Ａが配設されているが、それぞれ２個以上の吐水口４３ａを有した導水部材が配設されてもよい。各開口５５に同一形状の導水部材が配設されてもよく、異なる形状の導水部材が配設されてもよい。
【０１２７】
この実施の形態では、掃除又はメンテナンス用の開口５３が１個だけ設けられているが、２個以上設けられてもよい。
【０１２８】
［第３の実施の形態］
第１４図は第３の実施の形態に係る排水トラップの合流流出口付近の断面図、第１５図はこの排水トラップの合流流出口付近の断面斜視図である。
【０１２９】
上記の各実施の形態の排水トラップ１０，１０Ａにおいては、それぞれ、第３，４，１０図及び第１２図の通り、流路形成部材５０の下流側の端部がハウジング２５の下流側の側面２５ｉに連なっており、この流路形成部材５０の天井部５２が、該側面２５ｉに設けられた合流流出口１４の基端側の開口２５ｊを横切っている。これにより、該開口２５ｊが天井部５２によって上下に分画され、該開口２５ｊのうち天井部５２よりも下側部分が、流路形成部材５０の内側の浴槽排水流路３０に連通した第３流出口３１となっており、該天井部５２よりも上側部分が、封水室２３内に連通した第２流出口２４となっている。即ち、上記の各実施の形態では、封水室２３からの溢出水は、該開口２５ｊのうち天井部５２よりも上側部分のみを通って合流流出口１４に流出し、浴槽排水流路３０からの浴槽排水は、該開口２５ｊのうち天井部５２よりも下側部分のみを通って合流流出口１４に流出する。
【０１３０】
これに対し、この実施の形態の排水トラップ１０Ｂにおいては、第１４図の通り、流路形成部材５０の下流側の端部は、ハウジング２５の棚状部２５ｈ上において、該ハウジング２５の下流側の側面２５ｉから上流側に離隔している。そのため、この実施の形態では、開口２５ｊは、流路形成部材５０の天井部５２によって上下に分画されていない。この実施の形態では、第３流出口３１は、ハウジング２５の棚状部２５ｈ及び幅方向両端側の側面、並びに天井部５２によって囲まれたものとなっており、第２流出口２４は、ハウジング２５の幅方向両端側の側面及び上面、並びに天井部５２によって囲まれたものとなっている。この流路形成部材５０の下流側の端部とハウジング２５の下流側の側面２５ｉとの間は、該ハウジング２５の棚状部２５ｈ、幅方向両端側の側面並びに上面によって囲まれた合流流路２５ｋとなっている。該第２流出口２４及び第３流出口３１はそれぞれこの合流流路２５ｋに連通しており、この合流流路２５ｋが開口２５ｊに連通している。この流路形成部材５０の下流側の端部とハウジング２５の下流側の側面２５ｉとの間隔Ｌ（第１４図）は５〜１００ｍｍ特に１０〜５０ｍｍであることが好ましい。
【０１３１】
この排水トラップ１０Ｂのその他の構成は、前述の第１の実施の形態の排水トラップ１０と同様であり、第１４，１５図において第１〜１０図と同一符号は同一部分を示している。
【０１３２】
この排水トラップ１０Ｂにあっては、封水室２３からの溢出水は、第２流出口２４から合流流路２５ｋに流入し、この合流流路２５ｋから開口２５ｊを通って合流流出口１４に流出する。また、浴槽排水流路３０を流れてきた浴槽排水も、第３流出口３１から合流流路２５ｋに流入し、この合流流路２５ｋから開口２５ｊを通って合流流出口１４に流出する。前述の通り、この排水トラップ１０Ｂでは、流路形成部材５０の下流側の端部がハウジング２５の下流側の側面２５ｉから離隔しており、開口２５ｊは、この流路形成部材５０の天井部５２によって上下に分画されていない。そのため、合流流路２５ｋに流入した封水室２３からの溢出水及び浴槽排水流路３０からの浴槽排水は、それぞれ、この開口２５ｊの全体を通って合流流出口１４に流出することができる。これにより、封水室２３からの溢出水及び浴槽排水流路３０からの浴槽排水の排水効率が高いものとなる。
【０１３３】
この排水トラップ１０Ｂのその他の作動及び作用効果は、第１の実施の形態の排水トラップ１０と同様である。
【０１３４】
なお、この排水トラップ１０Ｂの構成は、前述の第２の実施の形態の排水トラップ１０Ａにも適用可能である。
【０１３５】
上記の各実施の形態は、いずれも本発明の一例を示すものであり、本発明は図示の構成に限定されない。
【符号の説明】
【０１３６】
１０，１０Ａ  排水トラップ
１１  洗い場排水受入口
１２  浴槽排水受入口
１３  浴槽パン排水受入口
１４  合流流出口
１７  ヘアキャッチャー
２０  受入室
２１  周壁部
２２  第１流出口
２３  封水室
２４  第２流出口
２５  ハウジング
３０  浴槽排水流路
３１  第３流出口
４０，４０Ａ  導水部材
４１  ボトムケース
４２  サイドケース
４３  トップケース
４３ａ  吐水口
５０  流路形成部材
５０ｃ  狭幅部
５１  側壁部
５２  天井部
５３，５５  開口
５４  ストッパ片
【図１】
2011069113.tif 000003
【図２】
2011069113.tif 000004
【図３】
2011069113.tif 000005
【図４】
2011069113.tif 000006
【図５】
2011069113.tif 000007
【図６】
2011069113.tif 000008
【図７】
2011069113.tif 000009
【図８】
2011069113.tif 000010
【図９】
2011069113.tif 000011
【図１０】
2011069113.tif 000012
【図１１】
2011069113.tif 000013
【図１２】
2011069113.tif 000014
【図１３】
2011069113.tif 000015
【図１４】
2011069113.tif 000016
【図１５】
2011069113.tif 000017
【図１６】
2011069113.tif 000018
【図１７】
2011069113.tif 000019